(57)【要約】【課題】電子掲示板の利用に際し、個別のユーザごとに特有の有益な情報を提示し、記事の検索効率の向上を図ること。【解決手段】本発明の電子掲示板システムは、データの送受信を制御する通信手段１１１と、収集した記事をユーザに対して提供する記事提供手段１１２と、ユーザがマークを付与した記事の状況を集計するマーク付与記事集計手段１１３と、マーク付与記事集計手段１１３による集計結果から記事の重要度を判定する重要記事判定手段１１４と、個別ユーザが重要と選択した記事および重要記事判定手段１１４により重要と判定された記事にマークを付与してユーザに提示する検索用データ作成・提供手段１１５と、を含み構成された掲示板情報提供装置１１０を備えている。【選択図】        図１
2005209041.tif 000002
【特許請求の範囲】
【請求項１】
情報を表示するための表示手段および情報を入力する入力手段を備えた電子掲示板装置と、前記電子掲示板装置に表示する情報をネットワークを介して提供する掲示板情報提供装置とを含み構成された電子掲示板システムであって、
前記掲示板情報提供装置は、
収集された記事のタイトルが一覧でき、かつ、当該タイトルにユーザが任意にマークを付与できるように編集した記事を前記電子掲示板装置に対して提供する記事提供手段と、
ユーザが前記電子掲示板装置の入力手段の操作によりマークを付与した記事を集計するマーク付与記事集計手段と、
前記マーク付与記事集計手段による集計結果から記事の重要度を判定する重要記事判定手段と、
前記重要記事判定手段により重要と判定された記事に新たにマークを付与して前記電子掲示板装置に対して検索用データを提供する検索用データ作成・提供手段と、
を含み構成されていることを特徴とする電子掲示板システム。
【請求項２】
前記重要記事判定手段は、
前記マーク付与記事集計手段の集計結果から、一定数以上マークが付与された記事を重要記事と判定することを特徴とする請求項１に記載の電子掲示板システム。
【請求項３】
前記重要記事判定手段は、
前記マーク付与記事集計手段の集計結果から、ユーザ全体の一定割合以上からマークが付与された記事を重要記事と判定することを特徴とする請求項１に記載の電子掲示板システム。
【請求項４】
前記検索用データ作成・提供手段は、
前記電子掲示板装置の表示手段に、前記重要記事判定手段により重要記事と判定された記事のみを一覧表示するデータを提供することを特徴とする請求項１〜３のいずれか一つに記載の電子掲示板システム。
【請求項５】
前記検索用データ作成・提供手段は、
記事の提供を受けるユーザが使用する電子掲示板装置の表示手段に、当該ユーザが付与したマークが残されている記事を一覧表示するデータを提供することを特徴とする請求項１〜４のいずれか一つに記載の電子掲示板システム。
【請求項６】
前記検索用データ作成・提供手段は、
記事の提供を受けるユーザが使用する電子掲示板装置の表示手段に、当該ユーザがマークを付与した記事のみを一覧表示するデータを提供することを特徴とする請求項１〜３のいずれか一つに記載の電子掲示板システム。
【請求項７】
ユーザに対して、収集された記事のタイトルが一覧でき、かつ、当該タイトルに各ユーザがマークを付与できるように編集された記事のタイトル一覧を提示する記事タイトル一覧提示工程と、
前記記事タイトル一覧提示工程で提示されたタイトル一覧の該当欄に、ユーザが任意にマークを付与するマーク付与工程と、
前記マーク付与工程でマークが付与された記事を集計するマーク付与記事集計工程と、
前記マーク付与記事集計工程の集計結果から記事の重要度を判定する重要記事判定工程と、
前記重要記事判定工程で重要と判定された記事に新たにマークを付与してユーザに対して検索用データを提供する検索用データ作成・提供工程と、
を含むことを特徴とする電子掲示板情報提供方法。
【請求項８】
前記重要記事判定工程は、
前記マーク付与記事集計工程の集計結果から、一定数以上マークが付与された記事を重要記事と判定することを特徴とする請求項７に記載の電子掲示板情報提供方法。
【請求項９】
前記重要記事判定工程は、
前記マーク付与記事集計工程の集計結果から、ユーザ全体の一定割合以上からマークが付与された記事を重要記事と判定することを特徴とする請求項７に記載の電子掲示板情報提供方法。
【請求項１０】
前記検索用データ作成・提供工程は、
ユーザに対して、前記重要記事判定工程で重要記事と判定された記事のみを一覧表示するデータを提供することを特徴とする請求項７〜９のいずれか一つに記載の電子掲示板情報提供方法。
【請求項１１】
前記検索用データ作成・提供工程は、
記事の提供を受けるユーザに対して、当該ユーザが付与したマークが残されている記事を一覧表示するデータを提供することを特徴とする請求項７〜１０のいずれか一つに記載の電子掲示板情報提供方法。
【請求項１２】
前記検索用データ作成・提供工程は、
記事の提供を受けるユーザに対して、当該ユーザがマークを付与した記事のみを一覧表示するデータを提供することを特徴とする請求項７〜９のいずれか一つに記載の電子掲示板情報提供方法。
【請求項１３】
請求項７〜１２のいずれか一つに記載の電子掲示板情報提供方法をコンピュータに実行させることを特徴とする電子掲示板情報提供プログラム。
【発明の詳細な説明】
【技術分野】
【０００１】
本発明は、電子掲示板の利用に際し、個別のユーザごとに特有の有益な情報を提供する電子掲示板システムと、電子掲示板情報提供方法、および電子掲示板情報提供プログラムに関する。
【背景技術】
【０００２】
近年、複数の人間で情報の伝達やディスカッションを行うことが可能な、いわゆる電子掲示板が普及してきている。この電子掲示板を利用することで、多数の人間が任意の時刻に記事の投稿や閲覧が可能になり、ユーザ間の非同期・遠隔地でのディスカッションが可能となる（例えば、特許文献１を参照。）。
【０００３】
しかし、従来の電子掲示板では、投稿される記事の数が多くなると、一つの掲示板内にユーザにとって重要な記事と読むに足らない記事が混在し、ユーザが本当に必要とする記事を検索するのに、かなり手間がかかるものになっていた。
【０００４】
そこで、かかる問題点を解決するため、電子掲示板に投稿された記事をカテゴリ順や投稿時刻順に並べ替えたり、閲覧実績やユーザに対するアンケート結果を参照して掲示記事を選択したりして、記事の閲覧を望むユーザの検索性を向上させている（例えば、特許文献２〜４を参照。）。
【０００５】
【特許文献１】特開平７−１８３９１３号公報
【特許文献２】特開平６−３３２８２０号公報
【特許文献３】特開２００２−２２９９１８号公報
【特許文献４】特開２００２−２９７６５７号公報
【発明の開示】
【発明が解決しようとする課題】
【０００６】
しかしながら、記事をカテゴリ順に並べ替えた場合には、掲示される記事の数が多くなるとカテゴリ数も増加し、検索の手間は減少しない。また、記事を投稿時刻順に並べ変えた場合には、古い記事の検索が必要なときは、やはり検索効率に問題が残る。閲覧実績のみを基に掲示する記事の選択を行う場合には、ユーザの要求と掲示される記事とに齟齬が生じるおそれがある。さらに、ユーザへのアンケート結果を参照して掲示する事を選択する場合には、アンケート結果を集計するまでは相当の時間が必要となるため、効率的な検索を行うことは困難である。
【０００７】
本発明は、上述した従来技術による問題点を解消するため、電子掲示板の利用に際し、個別のユーザごとに特有の有益な情報を提示し、記事の検索効率を向上させることができる電子掲示板システム、電子掲示板情報提供方法、および電子掲示板情報提供プログラムを提供することを目的とする。
【課題を解決するための手段】
【０００８】
上述した課題を解決し、目的を達成するため、請求項１にかかる電子掲示板システムは、情報を表示するための表示手段および情報を入力する入力手段を備えた電子掲示板装置と、前記電子掲示板装置に表示する情報をネットワークを介して提供する掲示板情報提供装置とを含み構成された電子掲示板システムであって、前記掲示板情報提供装置は、収集された記事のタイトルが一覧でき、かつ、当該タイトルにユーザが任意にマークを付与できるように編集した記事を前記電子掲示板装置に対して提供する記事提供手段と、ユーザが前記電子掲示板装置の入力手段の操作によりマークを付与した記事を集計するマーク付与記事集計手段と、前記マーク付与記事集計手段による集計結果から記事の重要度を判定する重要記事判定手段と、前記重要記事判定手段により重要と判定された記事に新たにマークを付与して前記電子掲示板装置に対して検索用データを提供する検索用データ作成・提供手段と、を含み構成されていることを特徴とする。
【０００９】
この請求項１に記載の発明によれば、電子掲示板の利用に際し、個別のユーザごとに特有の有益な情報を提示し、記事の検索効率を向上させることができる。
【００１０】
また、請求項２にかかる電子掲示板システムは、請求項１に記載の発明において、前記重要記事判定手段は、前記マーク付与記事集計手段の集計結果から、一定数以上マークが付与された記事を重要記事と判定することを特徴とする。
【００１１】
この請求項２に記載の発明によれば、一定数以上マークが付与された記事を重要記事と判定することで、記事の重要度の判定精度を向上させることができる。
【００１２】
また、請求項３にかかる電子掲示板システムは、請求項１に記載の発明において、前記重要記事判定手段は、前記マーク付与記事集計手段の集計結果から、ユーザ全体の一定割合以上からマークが付与された記事を重要記事と判定することを特徴とする。
【００１３】
この請求項３に記載の発明によれば、ユーザ全体の一定割合以上からマークが付与された記事を重要記事と判定することで、記事の重要度の判定精度を向上させることができる。
【００１４】
また、請求項４にかかる電子掲示板システムは、請求項１〜３のいずれか一つに記載の発明において、前記検索用データ作成・提供手段は、前記電子掲示板装置の表示手段に、前記重要記事判定手段により重要記事と判定された記事のみを一覧表示するデータを提供することを特徴とする。
【００１５】
この請求項４に記載の発明によれば、重要と判定された記事のみを一覧表示することで、多くの記事の中から重要度の高い記事を容易に見つけることが可能になり、記事の検索効率を向上させることができる。
【００１６】
また、請求項５にかかる電子掲示板システムは、請求項１〜４のいずれか一つに記載の発明において、前記検索用データ作成・提供手段は、記事の提供を受けるユーザが使用する電子掲示板装置の表示手段に、当該ユーザが付与したマークが残されている記事を一覧表示するデータを提供することを特徴とする。
【００１７】
この請求項５に記載の発明によれば、各ユーザが自らマークを付与した記事はそのままマークが付与された状態で当該ユーザに対して提示されるので、ユーザそれぞれが重要と判断した記事を容易に検索することが可能になり、記事の検索効率を向上させることができる。
【００１８】
また、請求項６にかかる電子掲示板システムは、請求項１〜３のいずれか一つに記載の発明において、前記検索用データ作成・提供手段は、記事の提供を受けるユーザが使用する電子掲示板装置の表示手段に、当該ユーザがマークを付与した記事のみを一覧表示するデータを提供することを特徴とする。
【００１９】
この請求項６に記載の発明によれば、ユーザが自らマークを付与した記事のみが当該ユーザに提示されるので、各ユーザは自らが重要と判断した記事を容易に検索することができる。
【００２０】
また、請求項７にかかる電子掲示板情報提供方法は、ユーザに対して、収集された記事のタイトルが一覧でき、かつ、当該タイトルに各ユーザがマークを付与できるように編集された記事のタイトル一覧を提示する記事タイトル一覧提示工程と、前記記事タイトル一覧提示工程で提示されたタイトル一覧の該当欄に、ユーザが任意にマークを付与するマーク付与工程と、前記マーク付与工程でマークが付与された記事を集計するマーク付与記事集計工程と、前記マーク付与記事集計工程の集計結果から記事の重要度を判定する重要記事判定工程と、前記重要記事判定工程で重要と判定された記事に新たにマークを付与してユーザに対して検索用データを提供する検索用データ作成・提供工程と、を含むことを特徴とする。
【００２１】
この請求項７に記載の発明によれば、電子掲示板の利用に際し、個別のユーザごとに特有の有益な情報を提示し、記事の検索効率を向上させることができる。
【００２２】
また、請求項８にかかる電子掲示板情報提供方法は、請求項７に記載の発明において、前記重要記事判定工程は、前記マーク付与記事集計工程の集計結果から、一定数以上マークが付与された記事を重要記事と判定することを特徴とする。
【００２３】
この請求項８に記載の発明によれば、一定数以上マークが付与された記事を重要記事と判定することで、記事の重要度の判定精度を向上させることができる。
【００２４】
また、請求項９にかかる電子掲示板情報提供方法は、請求項７に記載の発明において、前記重要記事判定工程は、前記マーク付与記事集計工程の集計結果から、ユーザ全体の一定割合以上からマークが付与された記事を重要記事と判定することを特徴とする。
【００２５】
この請求項９に記載の発明によれば、ユーザ全体の一定割合以上からマークが付与された記事を重要記事と判定することで、記事の重要度の判定精度を向上させることができる。
【００２６】
また、請求項１０にかかる電子掲示板情報提供方法は、請求項７〜９のいずれか一つに記載の発明において、前記検索用データ作成・提供工程は、ユーザに対して、前記重要記事判定工程で重要記事と判定された記事のみを一覧表示するデータを提供することを特徴とする。
【００２７】
この請求項１０に記載の発明によれば、重要と判定された記事のみを一覧表示することで、多くの記事の中から重要度の高い記事を容易に見つけることが可能になり、記事の検索効率を向上させることができる。
【００２８】
また、請求項１１にかかる電子掲示板情報提供方法は、請求項７〜１０のいずれか一つに記載の発明において、前記検索用データ作成・提供工程は、記事の提供を受けるユーザに対して、当該ユーザが付与したマークが残されている記事を一覧表示するデータを提供することを特徴とする。
【００２９】
この請求項１１に記載の発明によれば、各ユーザが自らマークを付与した記事はそのままマークが付与された状態で当該ユーザに対して提示されるので、ユーザそれぞれが重要と判断した記事を容易に検索することが可能になり、記事の検索効率を向上させることができる。
【００３０】
また、請求項１２にかかる電子掲示板情報提供方法は、請求項７〜９のいずれか一つに記載の発明において、前記検索用データ作成・提供工程は、記事の提供を受けるユーザに対して、当該ユーザがマークを付与した記事のみを一覧表示するデータを提供することを特徴とする。
【００３１】
この請求項１２に記載の発明によれば、ユーザが自らマークを付与した記事はそのままマークが付与された状態で当該ユーザに対して提示されるので、各ユーザは自らが重要と判断した記事を容易に検索することが可能になり、記事の検索効率を向上させることができる。
【００３２】
また、請求項１３にかかる電子掲示板情報提供プログラムは、請求項７〜１２のいずれか一つに記載の電子掲示板情報提供方法をコンピュータに実行させることを特徴とする。
【００３３】
この請求項１３に記載の発明によれば、請求項７〜１２のいずれか一つに記載の電子掲示板情報提供方法をコンピュータに実行させることができる。
【発明の効果】
【００３４】
本発明にかかる電子掲示板システム、電子掲示板情報提供方法、および電子掲示板情報提供プログラムによれば、電子掲示板の利用に際し、個別のユーザごと特有の有益な情報を提示し、記事の検索効率の向上を図ることができるという効果を奏する。
【発明を実施するための最良の形態】
【００３５】
以下に添付図面を参照して、本発明にかかる電子掲示板システム、電子掲示板情報提供方法、および電子掲示板情報提供プログラムの好適な実施の形態を詳細に説明する。
【００３６】
（電子掲示板システムの概略構成）
まず、本発明の実施の形態にかかる電子掲示板システムの概略構成を説明する。図１は、この電子掲示板システムの概略構成を示す図である。図１に示すように、この電子掲示板システムは、ネットワーク１００に接続された、掲示板情報提供装置１１０と、複数の電子掲示板装置１２１，１２２，１２３，・・・とを含み構成される。
【００３７】
掲示板情報提供装置１１０は、ネットワーク１００と掲示板情報提供装置１１０との間のデータの送受信を制御する通信手段１１１、収集した記事をユーザが使用する電子掲示板装置１２１，１２２，１２３，・・・に提供する記事提供手段１１２、ユーザによりマークが付与された記事の状況を集計するマーク付与記事集計手段１１３、マーク付与記事集計手段１１３による集計結果から記事の重要度を判定する重要記事判定手段１１４、および重要記事判定手段１１４により重要と判定された記事に新たにマークを付与して電子掲示板装置１２１，１２２，１２３，・・・に対して検索用データを提供する検索用データ作成・提供手段１１５を含み構成される。また、掲示板情報提供装置１１０には、各種データを格納するデータベース１３０が備えられている。電子掲示板装置１２１，１２２，１２３，・・・には、一般的なパーソナルコンピュータを用いることができる。
【００３８】
本発明の電子掲示板システムでは、まず、掲示板情報提供装置１１０の記事提供手段１１２があらかじめ取得した記事データを、各ユーザが使用する電子掲示板装置１２１，１２２，１２３，・・・に対して提供する。このとき、ユーザに提示する際に、ユーザが重要と考え選択した記事のタイトルにマークを付与できるように編集されている。図２は、このとき電子掲示板装置１２１，１２２，１２３，・・・の表示手段に表示される画面の一例を示す図である。
【００３９】
次に、ユーザは、図２に示したような画面２００に対して、重要と判断した記事の該当欄にマークを付与する。マークの付与はマークを付与したい記事の該当箇所にカーソルを合わせ、「マーク追加」ボタン２０１をクリックすることで行う。なお、マークが付与された記事からマークを削除したい場合には、当該マークにカーソルを合わせ、「マーク削除」ボタン２０２をクリックすることにより行う。マークが付与された記事は、電子掲示板装置１２１，１２２，１２３，・・・からネットワーク１００を介して掲示板情報提供装置１１０へ送られる。
【００４０】
マークが付与された記事は、マーク付与記事集計手段１１３において集計される。具体的には、記事ごとに重要と判断したユーザ名が集計され、記事別マーク付与ユーザ集計テーブルが作成される。図３は、マーク付与記事集計手段１１３で作成される記事別マーク付与ユーザ集計テーブルの一例を示している。この記事別マーク付与ユーザ集計テーブルでは、例えば、ある記事Ａを重要と判断したユーザのメールアドレスがまとめて記述され、どのユーザが記事Ａを重要と判断したかが明確になる。なお、図３では、各ユーザを区別するためにユーザのメールアドレスを用いているが、他にユーザＩＤやパスワード等を用いてもよい。この記事別マーク付与ユーザ集計テーブルは、データベース１３０に格納される。
【００４１】
重要記事判定手段１１４は、マーク付与記事集計手段１１３により作成された記事別マーク付与ユーザ集計テーブルを参照して、各記事ごとに、マークを付与したユーザ数や、閲覧したユーザ数を算出し、各記事の重要度を判定する。例えば、電子掲示板を利用したユーザ数を基準に当該記事を重要と判断したユーザ数の割合を算出し、一定割合以上のユーザが重要と判断した記事を重要記事と判定する。なお、電子掲示板を利用したユーザ数に関係なく、一定数以上のユーザが重要と判断しマークを付与した記事を重要記事と判定してもよい。そして、この結果を図４に示すように、記事ごとに、マーク付与ユーザ数、掲示板利用者数、重要度判定結果をまとめ、記事単位の閲覧ユーザ数テーブルを作成し、これをデータベース１３０に格納する。
【００４２】
検索用データ作成・提供手段１１５は、重要記事判定手段１１４で作成された、記事単位の閲覧ユーザ数テーブルを参照して、各記事のタイトルに重要度マークを付与したデータを作成する。加えて、前記記事別マーク付与ユーザ集計テーブルを参照して、個別ユーザが重要と判断した記事に対してマークを付与したデータを作成する。そして、個別ユーザに対して記事の提示を行う際に、データ処理により付与された重要度マークとともに当該ユーザ自身が付与したマークが一覧表示できるように編集する。ここで編集されたデータは、ユーザが使用する電子掲示板装置１２１，１２２，１２３，・・・の表示手段に表示される。
【００４３】
図５は、検索用データ作成・提供手段１１５で作成されたデータに基づく電子掲示板の表示例を示す図である。なお、画面５００には、マークが付与された記事のみを一覧表示することも可能である。また、ユーザ自身がマークを付与した記事のみ、あるいは、データ処理により重要と判定された記事のみを一覧表示させることも可能である。
【００４４】
本発明にかかる電子掲示板システムは、上記のように構成されているので、電子掲示板の利用に際し、個別のユーザごとに提示される重要記事には当該ユーザおよびユーザ全体の検索意図が十分に反映されているためその信頼度は高い。また、ユーザの意図を反映させるための過程にそれほど手間や時間を要することはないため、ユーザの意図が十分反映されたデータに基づく効率的な記事の検索が可能になる。したがって、ユーザは大量にある掲示板の記事の中から有益な記事を容易に検索することが可能となる。
【００４５】
（電子掲示板情報提供処理手順の概要）
次に、本発明の電子掲示板システムを用いた電子掲示板情報提供処理手順の概要を説明する。図６は、この電子掲示板情報提供処理手順の概要を示すフローチャートである。まず、ユーザが自己が使用する電子掲示板装置の入力手段からユーザＩＤを入力し、掲示板情報提供装置１１０とのアクセスを開始する（ステップＳ６０１）。ユーザＩＤには、ユーザを特定できるのであれば、特別に規定された文字や番号を使用してもよいし、ユーザのメールアドレスを使用してもよい。
【００４６】
次に、掲示板情報提供装置１１０の記事提供手段１１２がユーザが使用する電子掲示板装置の表示手段に対し、収集した記事のタイトル一覧を提示する（ステップＳ６０２）。ここで表示されるのは、図２に示した画面２００である。続いて、記事のタイトル一覧の提示を受けたユーザが、ユーザ自身が重要と考える記事の該当欄にマーク（例えば星印）を付与する（ステップＳ６０３）。次に、マーク付与記事集計手段１１３が、各ユーザから送られたマークが付与された記事の状況を集計する（ステップＳ６０４）。具体的には、マークが付与された記事タイトル一覧を参照して、記事ごとに重要と判断したユーザ名を集計し、この結果を用いて図３に示したような記事別マーク付与ユーザ集計テーブルを作成する。
【００４７】
そして、重要記事判定手段１１４が、マーク付与記事集計手段１１３の集計結果に基づき、各記事の重要度を判定する（ステップＳ６０５）。具体的には、前記記事別マーク付与ユーザ集計テーブルを参照して、各記事ごとに、マーク付与したユーザ数、閲覧したユーザ数を算出して、各記事の重要度を判定し、図４に示したような記事単位の閲覧ユーザ数テーブルを作成する。この工程における各記事の重要度の判定方式は、電子掲示板を利用したユーザ数を基準に当該記事を重要と判断したユーザ数の割合を算出し、一定割合以上のユーザが重要と判断した記事を重要記事と判定する。なお、電子掲示板を利用したユーザ数に関係なく、一定数以上のユーザが重要と判断しマークを付与した記事を重要記事と判定してもよい。
【００４８】
そして、検索用データ作成・提供手段１１５が、前記記事単位の閲覧ユーザ数テーブルを参照して、重要記事の検索用データを作成し、ユーザに対して提供する（ステップＳ６０６）。具体的には、ステップＳ６０２でユーザに提供した記事に、前記記事単位の閲覧ユーザ数テーブルで重要と定義されている記事とデータの供給を受けるユーザが重要と判断した記事にマークを付与してユーザに提示する。なお、ここでは、マークが付与された記事のみをユーザに提供することも可能である。また、ユーザ自身がマークを付与した記事のみ、あるいは、データ処理により重要と判定された記事のみを提供することも可能である。
【００４９】
以上のような処理手順により、電子掲示板の利用に際し、個別のユーザごとに特有の有益な情報を明確に提示し、記事の検索効率を向上させることができる。
【００５０】
以上説明したように、本発明にかかる電子掲示板システム、電子掲示板情報提供方法、および電子掲示板情報提供プログラムによれば、電子掲示板の利用に際し、個別のユーザごとに特有の有益な情報を提示できるため、記事の検索効率を向上させることが可能になる。
【００５１】
なお、本実施の形態で説明した電子掲示板情報提供方法は、あらかじめ用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００５２】
以上のように、本発明にかかる電子掲示板システム、電子掲示板情報提供方法、および電子掲示板情報提供プログラムは、目的とする記事の効率的な検索に有用であり、特に、電子掲示板に適している。
【図面の簡単な説明】
【００５３】
【図１】本発明の実施の形態にかかる電子掲示板システムの概略構成を示す図である。
【図２】ユーザに記事の重要度を判断させるために提示される電子掲示板の表示例を示す図である。
【図３】マーク付与記事集計手段で作成されるマーク付与ユーザテーブルの一例を示す図表である。
【図４】重要記事判定手段で作成される記事単位の閲覧ユーザ数テーブルの一例を示す図表である。
【図５】検索用データ作成・提供手段で作成されたデータに基づく電子掲示板の表示例を示す図である。
【図６】電子掲示板情報提供処理手順を示すフローチャートである。
【符号の説明】
【００５４】
１００  ネットワーク
１１０  掲示板情報提供装置
１１１  通信手段
１１２  記事提供手段
１１３  マーク付与記事集計手段
１１４  重要記事判定手段
１１５  検索用データ作成・提供手段
１２１，１２２，１２３，・・・  電子掲示板装置
１３０  データベース
２００，５００  画面
２０１  「マーク追加」ボタン
２０２  「マーク削除」ボタン
【図１】
2005209041.tif 000003
【図２】
2005209041.tif 000004
【図３】
2005209041.tif 000005
【図４】
2005209041.tif 000006
【図５】
2005209041.tif 000007
【図６】
2005209041.tif 000008